(57)【要約】【課題】  確実に防寒・防風・防水の機能を持ち、利用者の身体に密着して取り付けて円滑に運動することができる防寒用ラップパンツを提供する。【解決手段】  防風性、防水性を有する布体により形成され、ウエスト部分に巻き付けるベルト部１２と、ベルト部１２に連続しウエスト部分から膝までの身体前側を一枚の部材で覆う上ズボン部１８と、上ズボン部１８の下端部に連続する左右別体の下ズボン部３０，４０を備える。各下ズボン部３０，４０の着用者の下腿部に対して平行な両側縁部には、着用者の下腿部を覆うために、下ズボン部３０，４０を筒状にして両側縁部を互いに係止する面ファスナー３４，３８，４４，４８を備える。ベルト部１２の両端部には、互いに着脱可能なバックル１４を備える。【選択図】図１
2005213690.tif 000002
【特許請求の範囲】
【請求項１】
防寒性を有する布体により形成され、ウエスト部分に巻き付けるベルト部と、前記ベルト部に連続しウエスト部分から膝までの身体前側を覆う上ズボン部と、前記上ズボン部の下端部に連続する左右別体の下ズボン部と、前記各下ズボン部の、着用者の下腿部に対して平行な両側縁部に各々設けられ前記下ズボン部を筒状にして両側縁部を互いに係止する係止部材が設けられていることを特徴とする防寒用ラップパンツ。
【請求項２】
前記係止部材は面ファスナーから成り、前記各下ズボン部の、一方の側縁部の面ファスナーはこの側縁部に対してほぼ平行に設けられ、他方の側縁部の面ファスナーはこの側縁部に対して交差する方向に複数本設けられ、着用者の下腿部の太さにあわせて一対の側縁部の重なり量を調節可能としたことを特徴とする請求項１記載の防寒用ラップパンツ。
【請求項３】
前記上ズボン部は、身体の前中心の下端部に、前中心を頂点とした三角形状の切欠部が設けられ、前記切欠部の内側には、三角状の切欠部の面積よりも大きいプリーツ部が設けられていることを特徴とする請求項１記載の防寒用ラップパンツ。
【請求項４】
前記上ズボン部の、着用者の大腿部の両脇付近に位置する一対の側縁部には、着脱可能なシート固定部材が設けられ、前記シート固定部材は着用者が座るシートの下を通過して互いに連結可能に設けられていることを特徴とする請求項１記載の防寒用ラップパンツ。
【発明の詳細な説明】
【技術分野】
【０００１】
この発明は、チェアスキーや車椅子を利用者する人が、チェアスキーや車椅子に座った状態で下半身に巻き付け可能な防寒用ラップパンツに関する。
【背景技術】
【０００２】
従来、チェアスキーを行う場合一般的な健常者用のスキーズボンをそのまま着用している。このような一般的なスキーズボンは、保温性に優れたものや、デザイン的に工夫したものなど、多種類がある。
【特許文献１】特開平９−１８８９０４号公報
【特許文献２】特開２００３−１０５６０５号公報
【発明の開示】
【発明が解決しようとする課題】
【０００３】
しかし、健常者用のスキーズボンは、身体が不自由な人にとっては着脱が困難なため、例えばチェアスキーをしているときの急激な天候変化においても、履き替える等の対応が簡単にできなかった。そこで、着用者がチェアスキーに座った姿勢のまま、簡単に着脱可能な防寒具が求められていた。
【０００４】
この発明は、前記従来の技術の問題点に鑑みてなされたものであり、確実に防寒・防風・防水等の機能を持ち、利用者の身体に密着して取り付けて円滑に運動することができる防寒用ラップパンツを提供することを目的とする。
【課題を解決するための手段】
【０００５】
本発明は防寒性、防風性、防水性を有する布体により形成され、ウエスト部分に巻き付けるベルト部と、前記ベルト部に連続しウエスト部分から膝までの身体前側を一枚の部材で覆う上ズボン部と、前記上ズボン部の下端部に連続する左右別体の下ズボン部と、前記各下ズボン部の、着用者の下腿部に対して平行な両側縁部に各々設けられ、着用者の下腿部を覆うように筒状にして両側縁部を互いに係止する面ファスナー等の係止部材が設けられている防寒用ラップパンツである。この防寒用ラップパンツは臀部が開口しているため、チェアスキーや車椅子に座ったまま、着脱することができる。
【０００６】
さらに、前記ベルト部の両端部は互いに着脱可能なバックルが設けられている。前記上ズボン部と前記下ズボン部の間の縫い合わせ形状は、ひざを曲げた形状にフィットするように外側へ膨らむように立体裁断されている。そして前記下ズボン部の裾部分は、足の甲を覆うように下方に膨出する覆い部が一体に形成され、靴の開口部を覆う。
【０００７】
また、前記各下ズボン部の、一方の側縁部の面ファスナーはこの側縁部に対してほぼ平行に設けられ、他方の側縁部の面ファスナーはこの側縁部に対して交差する方向に複数本設けられ、この防寒用ラップパンツは、着用者の下腿部の太さにあわせて一対の側縁部の重なり量を調節し、前記面ファスナーにより確実に係止することができる。
【０００８】
前記上ズボン部は、身体の前中心の下端部に、前中心を頂点とした三角形状の切欠部が設けられ、前記切欠部の内側には、三角状の切欠部の面積よりも大きいプリーツ部が設けられている。このプリーツ部は、例えば身体の前中心に位置する切欠部の頂点を中心とする扇形に形成されている。
【０００９】
前記上ズボン部の、着用者の大腿部の両脇付近に位置する一対の側縁部には、着脱可能な帯体等のシート固定部材が設けられ、前記シート固定部材は着用者が座るシートの下を通過して互いに連結される。
【発明の効果】
【００１０】
本発明の防寒用ラップパンツは、チェアスキーや車椅子に座ったまま容易に着脱可能であり、高い防寒機能を有し、天候の変化に合わせて快適な条件で競技や待機をすることができる。
【発明を実施するための最良の形態】
【００１１】
以下、この発明の実施形態について図面に基づいて説明する。図１，図２はこの発明の一実施形態を示すもので、この実施形態の防寒用ラップパンツ１０は、防水性、防風性、耐久性を有する表地と、柔軟な裏地を積層して作られ、表地と裏地の間には、保温性を有する化学繊維等の保温材が挟まれて取り付けられている。
【００１２】
図１は、防寒用ラップパンツ１０の表側面を示す図であり、防寒用ラップパンツ１０は、着用者のウエスト部分の身体前側に巻き付ける帯状のベルト部１２が設けられている。ベルト部１２は、身体に密着するように両端部が上方へ向かうように緩やかに湾曲されている。ベルト部１２の、身体の左脇に位置する端部１２ａには、バックル１４のケース部材１４ａが取り付けられている。ベルト部１２の、反対側の端部１２ｂには、身体後側に巻き回すベルト本体１６が設けられ、ベルト本体１６の先端部１６ａには、バックル１４のケース部材１４ａに着脱する差込部材１４ｂが取り付けられている。
【００１３】
ベルト部１２の下端部１２ｃには、着用者のウエスト部分から膝までの身体前側を一枚の部材で覆う上ズボン部１８が設けられている。上ズボン部１８は、左右に位置する対称形のパーツが前中心２０で縫い合わされている。上ズボン部１８の下端部１８ａは着用者の膝付近に位置し、膝を曲げたときの形状に密着するように、各膝中心が下方にわずかに突出して立体裁断されている。上ズボン部１８の着用者の左脇部分に位置する側縁部１８ｂと右脇部分に位置する側縁部１８ｃは、外側に大きく湾曲した形状に設けられている。
【００１４】
上ズボン部１８の前中心２０には、前中心２０のほぼ中心から下端部１８ａにかけて、前中心２０に頂点２２ａが位置する三角状の切欠部２２が設けられている。切欠部２２の内側には、切欠部２２の頂点２２ａを中心とする扇形のプリーツ部２４が、切欠部２２の直線部分に両端部が縫い付けられて設けられている。プリーツ部２４の中心の角度は、切欠部２２の角度よりも大きく、プリーツ部２４に余裕が生じるように設けられている。
【００１５】
側縁部１８ｂの一番外側に突出した位置付近には、小型のバックル２６のケース部材２６ａが取り付けられている。側縁部１８ｂの、反対側の端部１８ｃの一番外側に突出した位置付近には、チェアスキー５０のシートの下側に巻き回す帯体２８が設けられ、帯体２８の先端部２８ａには、バックル２６のケース部材２６ａに着脱する差込部材２６ｂが取り付けられている。
【００１６】
上ズボン部１８の右半分の下端部１８ａには、着用者の右側に右下ズボン部３０が縫い付けられて取り付けられている。右下ズボン部３０は、着用者の右の下腿部を覆うものであり、右下ズボン部３０の、上ズボン部１８の下端部１８ａに縫い付けられる上端部３０ａは、着用者の膝に密着するように、膝中心が下方にわずかに屈曲して立体裁断されている。右下ズボン部３０の裾部３０ｂは、足の甲を覆うように、下方に突出する覆い部３２が一体に設けられている。
【００１７】
右下ズボン部３０の、着用者の右側面に位置する側縁部３０ｃの少し内側には、右下ズボン部３０の裏側面に面ファスナー３４が設けられている。面ファスナー３４はテープ状であり、側縁部３０ｃに対してほぼ平行に設けられている。なお、面ファスナー３４は例えばフック部機能を有する雄部材である。
【００１８】
右下ズボン部３０の、側縁部３０ｃの反対側は、着用者の下腿部の後側に巻き回す巻回片３６が、側縁部３０ｃから離れる方に突出して設けられている。巻回片３６は、ほぼ四角形状であり、側縁部３０ｃから離れている側縁部３６ａは側縁部３０ｃに対してほぼ平行に位置している。巻回片３６の表側面には、３本の面ファスナー３８が取り付けられている。面ファスナー３８は、裾部３０ｂ近傍と、上端部３０ａ近傍と、その中間の３か所にそれぞれ設けられている。裾部３０ｂ近傍と中間に位置する面ファスナー３８は、側縁部３６ａに対してほぼ直角に取り付けられている。上端部３０ａ近傍の面ファスナー３８は、側縁部３６ａに近づくに従い裾部３０ｂに近づくように斜めに取り付けられている。なお、各面ファスナー３８は、例えばループ部機能を有する雌部材である。
【００１９】
上ズボン部１８の左半分の下端部１８ａには、着用者の左側に左下ズボン部４０が連続して取り付けられている。左下ズボン部４０は、着用者の左の下腿部を覆うものであり、右下ズボン部３０とは対称形である。左下ズボン部４０の上端部４０ａは、着用者の膝に密着するように、立体裁断されている。左下ズボン部４０の裾部４０ｂには、覆い部４２が一体に設けられている。左下ズボン部４０の、着用者左側面に位置する側縁部４０ｃの少し内側には、左下ズボン部４０の裏側面に、面ファスナー４４が設けられている。面ファスナー４４は、例えばフック部機能を有する雄部材である。
【００２０】
左下ズボン部４０の、側縁部４０ｃと反対側には、巻回片４６が設けられている。巻回片４６の表側面には、３本の面ファスナー４８が取り付けられている。各面ファスナー４８は、ループ部機能を有する雌部材である。
【００２１】
次に防寒用ラップパンツ１０の使用方法について説明する。着用者がチェアスキー５０に座った状態で、まず防寒用ラップパンツ１０のベルト部１２をウエスト部分の身体前側にあて、帯体１６を身体の後側に巻き回し、帯体１６の先端のバックル１４の差込部材１４を、ベルト部１２のバックル１４のケース部材１４ａに差し込み、係止する。このとき、バックル１４のケース部材１４ａが体の左側に位置しているので、片手でも着脱しやすい。帯体１６の長さは、帯体１６上の差込部材１４ｂの位置を移動して、ウエストに密着するように調節する。上ズボン部１８でウエスト部分から膝にかけて身体前側を覆い、上ズボン部１８の側縁部１８ｃの帯体２８をチェアスキー５０のシートの下側を通して反対側に巻き回し、帯体２８の先端のバックル２６の差込部材２６を、上ズボン部１８の側縁部１８ｂのバックル２６のケース部材２６ａに差し込み、係止する。ここでも、帯体２８の長さを、帯体２８上を差込部材１４ｂの位置を移動して、身体に適度に密着させる。
【００２２】
次に、右下ズボン部３０の巻き回し片３６を右足の後側に巻き回し、反対側の側縁部３０ｃを巻き回し片３６の表側面に重ねる。すると、巻回片３６の面ファスナー３８に、側縁部３０ｃの面ファスナー３４が係合し、着用者の右下腿部を覆う筒形になる。巻回片３６の面ファスナー３８は側縁部３０ｃの重なり方向に対してほぼ平行に設けられているため、着用者の下腿部の太さにあわせて重なり量を調整して係止することができる。
【００２３】
さらに、左下ズボン部４０も同様に、巻回片４６を左足の後側に巻き回し、側縁部４０ｃを重ね、面ファスナー４４が面ファスナー４８に係合し、着用者の左下腿部を覆う筒形になる。
【００２４】
防寒用ラップパンツ１０を脱ぐときは、右下ズボン部３０の面ファスナー３４，３８と、左下ズボン部４０の面ファスナー４４，４８の係合を解除する。そして、バックル１４，２６を解除し、身体から外す。
【００２５】
この実施形態の防寒用ラップパンツ１０によれば、着用者がチェアスキー５０に座った状態のまま、天候や体調に合わせて着脱することができる。防寒用ラップパンツ１０は、表地に防風・防水素材を採用し、保温性を有する中綿入り仕様であるため、防寒・防風・簡易防水機能が高い。ウエストから膝までは上ズボン部１８により一体形巻き付け式であり、上ズボン部１８がチェアスキー５０のシートも包むため、チェアスキー５０のシートが雨や雪でぬれることがなく、快適となる。また、保温、防水機能も高い。さらに、膝から下の部分は、右下ズボン部３０と左下ズボン部４０が分離したセパレート形巻き付け式であり、両足を確実に保温、防水し、なおかつ稼動範囲を確保して円滑に練習や競技を行うことができる。
【００２６】
また、防寒用ラップパンツ１０の着脱は面ファスナー３４，３８，４４，４８とバックル１４，２６の操作のみで行うことができ、片手で簡単に着脱とサイズ調整を行うことができ、身体にフィットさせることができる。さらに、チェアスキーは１本のスキー板であるため、少なくとも片方のストックで体を支える必要があるので、バックル１４を片手で操作することができることにより、着脱作業をより容易なものとすることができる。また、バックル１４，２６、また面ファスナー３４，３８，４４，４８は、位置調整が可能であり、着用者の体形やチェアスキーのシートの大きさに合わせて密着させることが可能である。上ズボン部１８の帯体２８はチェアスキーのシートごと巻き回して係止するため、風等によるばたつきを押さえることができる。
【００２７】
上ズボン部１８には、切欠部２２と、切欠部２２の内側のプリーツ部２４が設けられているため、両腿の可動範囲をある程度確保することができ、運動を容易にする。さらに、上腿部に降った雪や雨の水滴が直接チェアスキー等のシート部分に落ちないように、プリーツ部２４が雨樋のように機能し、水滴をシート前方に落とすようにしている。これにより、シートが濡れにくく、ズボンに水がしみ込むことも防止される。また、右下ズボン部３０と左下ズボン部４０には、足首をカバーする覆い部３２，４２が設けられているため、靴の開口部の保温、防風、防水機能の向上を図ることができる。
【００２８】
なお、この発明の防寒用ラップパンツは、上記実施の形態に限定されるものではなく、各部材の形状や素材など、適宜変更可能である。身体に巻き回す帯体の本数や左右下ズボン部を筒状に形成する面ファスナーの本数なども、適宜変更可能である。チェアスキーの使用時以外に、車椅子やいすに座るときにも使用することができる。
【図面の簡単な説明】
【００２９】
【図１】この発明の一実施形態の防寒用ラップパンツの正面図である。
【図２】この実施形態の防寒用ラップパンツの使用状態を示す斜視図である。
【符号の説明】
【００３０】
１０  防寒用ラップパンツ
１２  ベルト部
１４，２６  バックル
１６  ベルト本体
１８  上ズボン部
２２  切欠部
２４  プリーツ部
２８  帯体
３０  右下ズボン部
３２，４２  覆い部
３４，３８，４４，４８  面ファスナー
３６，４６  巻き回し片
４０  左下ズボン部
５０  チェアスキー
【図１】
2005213690.tif 000003
【図２】
2005213690.tif 000004